(57)【要約】【課題】食事に伴い必要になった運動内容を、ユーザの体調を考慮して提案可能な管理システムを提供する。【解決手段】携帯端末は、食事の摂取カロリー情報に加えて、体調情報についても取得して記憶する。そして、携帯端末は、摂取カロリー情報と体調情報とに基づいて運動内容の候補を選出し（Ｓ３０５）、選出した運動内容の候補を表示するようになっている（Ｓ３１０）。したがって、ユーザは、自身の体調が考慮された運動内容であって、食事に伴い必要になった運動内容を、運動開始前に知ることができる。【選択図】図４
2008293338.tif 000002
【特許請求の範囲】
【請求項１】
店舗に設置された店舗端末からカロリー情報を取得する第一の取得手段と、
ユーザの体調に関する情報である体調情報を取得する第二の取得手段と、
前記第二の取得手段により取得された前記体調情報を考慮しつつ、前記第一の取得手段により取得された前記カロリー情報に基づいて必要な運動内容を選出する必要運動内容選出手段と、
前記必要運動内容選出手段により選出された前記運動内容を出力する出力手段と、
を備えることを特徴とする管理システム。
【請求項２】
請求項１に記載の管理システムにおいて、
前記第一の取得手段は、前記店舗端末から食事メニューと共にその食事メニューを構成する食事毎に前記カロリー情報を取得し、
前記必要運動内容選出手段は、前記食事メニューから選択手段により選択された食事に対応する前記カロリー情報に基づいて、前記運動内容の選出を行うこと、
を特徴とする管理システム。
【請求項３】
請求項１又は請求項２に記載の管理システムにおいて、
前記第二の取得手段が取得する前記体調情報は、体温、心拍数、呼吸数、血圧、発汗量、体重、基礎代謝量、筋量、及び、体脂肪量の少なくともいずれか一つであること、
を特徴とする管理システム。
【請求項４】
請求項１〜請求項３のいずれかに記載の管理システムにおいて、
前記出力手段は、画像表示機能を有する表示手段であること、
を特徴とする管理システム。
【請求項５】
請求項１〜請求項３のいずれかに記載の管理システムにおいて、
前記出力手段は、前記運動内容に基づく予約情報をスポーツ施設予約管理装置へ出力すること、
を特徴とする管理システム。
【請求項６】
請求項１〜請求項５のいずれかに記載の管理システムにおいて、
前記第一の取得手段は、携帯端末に搭載され、
前記第二の取得手段、前記必要運動内容選出手段、及び、前記出力手段は、車両に搭載されていること、
を特徴とする管理システム。
【請求項７】
請求項１〜請求項５のいずれかに記載の管理システムにおいて、
前記第一の取得手段、前記必要運動内容選出手段、及び、前記出力手段は、携帯端末に搭載され、
前記第二の取得手段は、車両に搭載されていること、
を特徴とする管理システム。
【請求項８】
請求項６又は請求項７に記載の管理システムにおいて、
前記第二の取得手段は、車両に設けられた乗員モニタ用のセンサから前記体調情報を取得すること、
を特徴とする管理システム。
【発明の詳細な説明】
【技術分野】
【０００１】
本発明は、食事によって摂取されたエネルギー量を管理可能な管理システムに関する。
【背景技術】
【０００２】
近年の健康意識の高まりから食事により摂取されたエネルギー量（以下、「カロリー」とも称す。）を管理可能な装置が提案されている。例えば、下記の特許文献１に記載された集計装置は、次のような機能を有する。（１）レストランや食品店のレジスタから無線通信によって摂取カロリーを入力する機能。（２）アスレチックジムのフィットネスマシーンから無線通信によって運動強度を入力し、消費カロリーを算出する機能。（３）カラオケ店ではカラオケ装置から歌唱に伴う消費カロリーを入力する機能。（４）基礎代謝量を考慮して総消費カロリーを求め、摂取カロリーと共に液晶パネルに表示させる機能。
【特許文献１】特開２００３−６１９４０号公報
【発明の開示】
【発明が解決しようとする課題】
【０００３】
しかしながら、上記特許文献１に記載された集計装置は、摂取カロリーと消費カロリーとを事後的に表示させるのみであり、食事に見合った運動内容をユーザが予め知ることができない。また、表示された摂取カロリーからユーザ自身が運動内容を予測することも考えられるが、ユーザ自身が運動内容を適切に決定することは難しい場合も多い。なぜなら、運動内容はユーザ自身の体調を考慮して決定すべきであるが、これは専ら主観に基づく判断になってしまい、運動に対するモチベーション等のような要素によって大きく左右されてしまうため、正確性を欠くと考えられるからである。
【０００４】
本発明は、このような問題にかんがみなされたものであり、食事に伴い必要になった運動内容を、ユーザの体調を考慮して提案可能な管理システムを提供することを目的とする。
【課題を解決するための手段】
【０００５】
上記課題を解決するためになされた請求項１に記載の管理システムは、店舗に設置された店舗端末からカロリー情報を取得する第一の取得手段と、ユーザの体調に関する情報である体調情報を取得する第二の取得手段と、第二の取得手段により取得された体調情報を考慮しつつ、第一の取得手段により取得されたカロリー情報に基づいて必要な運動内容を選出する必要運動内容選出手段と、必要運動内容選出手段により算出された運動内容を出力する出力手段とを備える。なお、「体調情報を考慮しつつ」というのは、例えば、ユーザの体調が運動に耐える状態であるかどうかという点や、どの程度の運動負荷がユーザの体調に適しているかという点等を判定することである。また、「運動内容」というのは、運動の種類と共にその運動の量をも含むものである。
【０００６】
このような管理システムによれば、ユーザは、自身の体調が考慮された運動内容であって、食事に伴い必要になった運動内容を、運動開始前に知ることができる。
ところで、当該管理システムの一人のユーザが別の人を交えて食事をする場合も考えられる。その場合には、ユーザが食した食事以外の食事のカロリー情報についても第一の取得手段が店舗端末から取得することになってしまうと考えられる。そうすると、必要運動内容選出手段が運動内容を正確に選出できなくなってしまう。そこで、第一の取得手段は、店舗端末から食事メニューと共にその食事メニューを構成する食事（料理、飲料等）毎にカロリー情報を取得し、必要運動内容選出手段は、食事メニューから選択手段により選択された食事に対応するカロリー情報に基づいて、運動内容の選出を行うようになっているとよい（請求項２）。なお、選択手段としては、操作ボタンや、タッチパネル、タッチペン等が想定される。
【０００７】
このような管理システムによれば、多人数で食事をした場合でも、ユーザが摂取したカロリーを正確に計算でき、結果として、運動内容を正確に選出することができる。
また、第二の取得手段が取得する体調情報としては、特に、体温、心拍数、呼吸数、血圧、発汗量、体重、基礎代謝量、筋量、及び、体脂肪量の少なくともいずれか一つであるとよい（請求項３）。
【０００８】
このような体調情報を取得するようになっていれば、ユーザの体調を考慮した運動内容を選出しやすい。
また、出力手段は、画像表示機能を有する表示手段であるとよい（請求項４）。このように、出力手段が画像表示を行うことができるようになっていれば、管理システム単体でユーザが直接運動内容を知ることができる。
【０００９】
また、出力手段は、運動内容に基づく予約情報をスポーツ施設予約管理装置へ出力するようになっているとよい（請求項５）。
このようになっていれば、必要運動内容選出手段が選出した運動内容にしたがってスポーツ施設やスポーツ用具の使用予約を行うことができる。
【００１０】
ところで、管理システムを構成する手段のうち、第一の取得手段は、携帯端末に搭載され、第二の取得手段、必要運動内容選出手段、及び、出力手段は、車両に搭載されているとよい（請求項６）。なお、このように別体（携帯端末と車両とに分かれて）に構成されていても、各手段が有する機能を実現するために手段間で情報のやりとりができるように構成されることは言うまでもない。
【００１１】
このようになっていれば、ユーザは、車両にのってレストラン等へ出掛けた場合、車外には携帯端末だけを持ち出すことにより、店舗端末からカロリー情報を容易に取得することができる。つまり、使い勝手がよい。
【００１２】
また、管理システムを構成する手段のうち、第一の取得手段、必要運動内容選出手段、及び、出力手段は、携帯端末に搭載され、第二の取得手段は、車両に搭載されているとよい（請求項７）。
【００１３】
このようになっていても、ユーザは、車両にのってレストラン等へ出掛けた場合、車外には携帯端末だけを持ち出すことにより、店舗端末からカロリー情報を容易に取得することができる。つまり、使い勝手がよい。
【００１４】
なお、第二の取得手段は、車両に設けられた乗員モニタ用のセンサから体調情報を取得するようになっているとよい（請求項８）。乗員モニタ用のセンサというのは、例えば、ハンドルに設けられた体温センサ，心拍センサ，発汗センサ，電気伝導率センサや、シートに設けられた重量センサや、インスツルメントパネルに設けられた運転者監視カメラ等が考えられる。
【００１５】
このようになっていれば、管理システム専用のセンサを設ける必要がなく、管理システムを構築する際のコスト低減に役立つ。
【発明を実施するための最良の形態】
【００１６】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１７】
［第一実施形態］
第一実施形態は、様々な処理を携帯端末が主に実行する実施形態である。
［構成の説明］
図１は、第一実施形態の管理システム５、及び、管理システム５に接続された装置等を示すブロック図である。管理システム５は、携帯端末１１と車載装置２１と備える。携帯端末１１は、店舗端末３１、トレーニングマシン予約管理サーバ４１及びトレーニングマシン４５と通信可能に構成され、車載装置２１は、乗員モニタＥＣＵ５１と通信可能に構成されている。以下、詳しく説明する。
【００１８】
（１）携帯端末１１
携帯端末１１は、近距離無線通信部１２と、操作部１３と、記憶部１４と、表示部１５と、公衆無線通信部１６と、制御部１７とを備える。
【００１９】
近距離無線通信部１２は、店舗端末３１、トレーニングマシン４５、及び、車載装置２１と近距離無線通信（例えば、無線ＬＡＮ通信やブルートゥース通信等）により通信を行う機能を有する。
【００２０】
操作部１３は、操作ボタンやタッチパネル等からなり、ユーザの操作を受け付ける機能を有する。
記憶部１４は、フラッシュメモリ等の不揮発性の記憶媒体を有し、様々なデータを記憶する機能を有する。
【００２１】
表示部１５は、液晶パネルや有機ＥＬパネル等の画像表示パネルを有し、様々な文字や図形等を表示する機能を有する。
公衆無線通信部１６は、トレーニングマシン予約管理サーバと公衆無線通信（例えば、携帯電話パケット通信や無線ＬＡＮ通信等）により通信を行う機能を有する。
【００２２】
制御部１７は、周知のＣＰＵ、ＲＯＭ、ＲＡＭ、Ｉ／Ｏ等から構成され、ＲＯＭや記憶部１４に記憶されたプログラムに基づいて上記各部を制御し、各種の処理を実行する機能を有する。
【００２３】
（２）車載装置２１
車載装置２１は、近距離無線通信部２２と、車内ＬＡＮ通信部２３と、制御部２４とを備える。
【００２４】
近距離無線通信部２２は、携帯端末１１と近距離無線通信（例えば、無線ＬＡＮ通信やブルートゥース通信等）により通信を行う機能を有する。
車内ＬＡＮ通信部２３は、図示しない車内ＬＡＮに接続され当該車内ＬＡＮを介して乗員モニタＥＣＵ５１と通信を行う機能を有する。
【００２５】
制御部２４は、周知のＣＰＵ、ＲＯＭ、ＲＡＭ、Ｉ／Ｏ等から構成され、ＲＯＭに記憶されたプログラムに基づいて上記各部を制御し、各種の処理を実行する機能を有する。
（３）店舗端末３１
店舗端末３１は、レストランやコンビニエンスストア等に設置されたレジ機能を有する端末である。なお、料理や飲料毎のカロリー情報を有しており、レジ精算された料理等のカロリー情報を近距離無線通信（例えば、無線ＬＡＮ通信やブルートゥース通信等）により、携帯端末１１へ送信可能に構成されている。
【００２６】
（４）トレーニングマシン予約管理サーバ４１
トレーニングマシン予約管理サーバ４１は、スポーツクラブ運営会社等が管理するサーバであって、トレーニングマシン、マッサージサービス、エステサービス等の予約管理を行うサーバである。第一実施形態では、公衆無線通信（例えば、携帯電話パケット通信や無線ＬＡＮ通信等）を介して携帯端末１１と通信を行うことができる。
【００２７】
（５）トレーニングマシン４５
トレーニングマシン４５は、スポーツクラブに設置されたトレーニングマシンであり、例えば、ランニングマシン、サイクルマシン、クライマーマシン等である。なお、トレーニングマシン４５は、近距離無線通信（例えば、無線ＬＡＮ通信やブルートゥース通信等）を介して携帯端末１１と通信を行い、トレーニングマシン４５を使用することによって消費されたカロリー情報を携帯端末１１へ送信することができるようになっている。
【００２８】
（６）乗員モニタＥＣＵ５１
乗員モニタＥＣＵ５１は、乗員モニタ用センサと通信を行い、車両の乗員の体調情報を推定する機能を有するＥＣＵである。乗員モニタ用のセンサというのは、例えば、ハンドルに設けられた体温センサ，心拍センサ，発汗センサ，電気伝導率センサや、シートに設けられた重量センサや、インスツルメントパネルに設けられた運転者監視カメラ等であり、体調情報というのは、例えば、体温、心拍数、呼吸数、血圧、発汗量、体重、基礎代謝量、筋量、又は、体脂肪量等である。
【００２９】
［動作の説明］
次に、管理システム５の動作について説明する。
（１）摂取カロリー情報取得処理１
まず、携帯端末１１の制御部１７が実行する摂取カロリー情報取得処理１について、図２のフローチャートを用いて説明する。なお、摂取カロリー情報取得処理１は、摂取カロリー情報取得処理１の開始を意味する指令を、携帯端末１１の操作部１３を介してユーザから受け付けた際に実行が開始される。
【００３０】
携帯端末１１の制御部１７は、摂取カロリー情報取得処理１の実行を開始すると、まず、近距離無線通信部１２を介して店舗端末３１と通信可能であるか否かを判定する（Ｓ１０５）。店舗端末３１と通信可能であると判定した場合は（Ｓ１０５：Ｙｅｓ）、Ｓ１１５へ処理を移行し、店舗端末３１と通信可能でないと判定した場合は（Ｓ１０５：Ｎｏ）、Ｓ１１０へ処理を移行する。
【００３１】
店舗端末３１と通信可能でないと判定した場合に進むＳ１１０では、通信可能でない旨の表示を表示部１５に行わせる。なお、通信できない理由としては、様々な理由が考えられるが、例えば、店舗端末３１が通信可能状態でない場合や、通信可能距離以上に携帯端末１１と店舗端末３１とが離れている場合等が考えられる。その後、制御部１７は、本処理（摂取カロリー情報取得処理１）を終了する。
【００３２】
一方、店舗端末３１と通信可能であると判定した場合に進むＳ１１５では、店舗端末３１から食事メニュー（料理名等）と各カロリー値を取得する。具体的には、食事メニューとして「ラーメン」、カロリー値として「７００ｋｃａｌ」というような情報を、食事の料理等毎に取得する。
【００３３】
続いて、ユーザより食事選択を受け付ける（Ｓ１２０）。これは、表示部１５に食事メニュー（料理名等）を一覧表示させ、それらのうちユーザが実際に食べた食事メニューを、操作部１３を介してユーザに選択させることである。なお、食事選択を受け付ける際に、料理を残した場合やバイキング形式の店舗への対応のため、ユーザからカロリー値の補正を受け付けることができるようになっているとよい。また、摂取したカロリー値を手動で直接入力できるようになっていてもよい。ユーザが自宅等で食事をした場合に対応するためである。
【００３４】
続いて、Ｓ１２０で選択された食事メニュー（料理名等）に対応するカロリー値を合計し、その合計カロリー値を摂取カロリー情報として記憶部１４に記憶させる（Ｓ１２５）。例えば、７００ｋｃａｌ（ラーメンのカロリー値）＋３５０ｋｃａｌ（餃子のカロリー値）＝１０５０ｋｃａｌ（合計カロリー値）というように計算して記憶部１４に記憶させる。その後、正常に記憶させた旨の表示を表示部１５に行わせ（Ｓ１３０）、本処理（摂取カロリー情報取得処理１）を終了する。
【００３５】
（２）体調情報取得処理
次に、携帯端末１１の制御部１７が実行する体調情報取得処理について、図３のフローチャートを用いて説明する。なお、体調情報取得処理は、体調情報取得処理の開始を意味する指令を、携帯端末１１の操作部１３を介してユーザから受け付けた際に実行が開始される。また、体調情報取得処理は、ユーザが車両の座席に着座している状態で実行されることが想定されている。
【００３６】
携帯端末１１の制御部１７は、体調情報取得処理の実行を開始すると、まず、近距離無線通信部１２を介して車載装置２１と通信可能であるか否かを判定する（Ｓ２０５）。車載装置２１と通信可能であると判定した場合は（Ｓ２０５：Ｙｅｓ）、Ｓ２１５へ処理を移行し、車載装置２１と通信可能でないと判定した場合は（Ｓ２０５：Ｎｏ）、Ｓ２１０へ処理を移行する。
【００３７】
車載装置２１と通信可能でないと判定した場合に進むＳ２１０では、通信可能でない旨の表示を表示部１５に行わせる。なお、通信できない理由としては、様々な理由が考えられるが、例えば、車載装置２１が通信可能状態でない場合や、通信可能距離以上に携帯端末１１と車載装置２１とが離れている場合等が考えられる。その後、制御部１７は、本処理（体調情報取得処理）を終了する。
【００３８】
車載装置２１と通信可能であると判定した場合に進むＳ２１５では、車載装置２１を介して乗員モニタＥＣＵ５１から体調情報を取得し、記憶部１４に記憶させる。そして、記憶部１４に体調情報を正常に記憶させた旨の表示を表示部１５に行わせ（Ｓ２２０）。本処理（体調情報取得処理）を終了する。
【００３９】
（３）運動内容決定処理１
次に、携帯端末１１の制御部１７が実行する運動内容決定処理１について、図４のフローチャートを用いて説明する。なお、運動内容決定処理１は、記憶部１４に摂取カロリー情報と体調情報が記憶されていることを条件にして、運動内容決定処理１の開始を意味する指令を、ユーザから携帯端末１１の操作部１３を介して受け付けた際に実行が開始される。
【００４０】
携帯端末１１の制御部１７は、運動内容決定処理１の実行を開始すると、まず記憶部１４に記憶されている摂取カロリー情報と体調情報とから運動内容の候補を選出する（Ｓ３０５）。これは、運動に耐える体調かどうかという点や、どの程度の負荷強度のある運動種別が適しているかという点等を、体調情報に基づいて判断し、続いて、摂取カロリー情報に基づいて、運動種別と運動量とを組にした運動内容の候補を選出することである。
【００４１】
続いて、Ｓ３０５で選出した運動内容の候補を表示部１５に表示させる（Ｓ３１０）。そして、操作部１３を介して運動内容の選択をユーザから受け付け（Ｓ３１５）、選択された運動内容を記憶部１４に記憶させる（Ｓ３２０）。
【００４２】
続いて、選択された運動内容に基づき、トレーニングマシン、マッサージサービス、エステサービス等の予約を行うか否かを判定する（Ｓ３２５）。判定手法は、例えば、予約を行うかどうかを問い合わせる表示を表示部１５に行わせ、予約を行う旨の操作がユーザによって操作部１３に対してなされたか否かを判定することによって行う方法が考えられる。この結果、トレーニングマシン等の予約を行わないと判定した場合は（Ｓ３２５：ＮＯ）、本処理（運動内容決定処理１）を終了し、トレーニングマシン等の予約を行うと判定した場合は（Ｓ３２５：Ｙｅｓ）、Ｓ３３０へ処理を移行する。
【００４３】
トレーニングマシン等の予約を行うと判定した場合に進むＳ３３０では、トレーニングマシン等の予約を実行する。具体的には、公衆無線通信部１６を介してトレーニングマシン予約管理サーバ４１へ予約情報を送信し、トレーニングマシン、マッサージサービス、エステサービス等の予約依頼を行う。なお、予約情報というのは、訪問日時、予約対象、利用者特定情報等から構成される。その後、本処理（運動内容決定処理１）を終了する。
【００４４】
（４）報知処理
次に、携帯端末１１の制御部１７が実行する報知処理について、図５のフローチャートを用いて説明する。なお、報知処理は、記憶部１４に運動内容が記憶されていることを条件にして、報知処理の開始を意味する指令を、携帯端末１１の操作部１３を介してユーザから受け付けた際に実行が開始される。基本的には報知処理は、ユーザがトレーニングマシン４５を利用中、又は、利用後に実行されることが想定されている。周期的に実行されるようになっていてもよい。
【００４５】
携帯端末１１の制御部１７は、報知処理の実行を開始すると、まずトレーニングマシン４５と通信可能であるか否かを判定する（Ｓ４０５）。トレーニングマシン４５と通信可能であると判定した場合は（Ｓ４０５：Ｙｅｓ）、Ｓ４１５へ処理を移行し、トレーニングマシン４５と通信可能でないと判定した場合は（Ｓ４０５：Ｎｏ）、Ｓ４１０へ処理を移行する。
【００４６】
トレーニングマシン４５と通信可能でないと判定した場合に進むＳ４１０では、通信可能でない旨の表示を表示部１５に行わせる。なお、通信できない理由としては、様々な理由が考えられるが、例えば、トレーニングマシン４５が通信可能状態でない場合や、通信可能距離以上に携帯端末１１とトレーニングマシン４５とが離れている場合等が考えられる。その後、制御部１７は、本処理（報知処理）を終了する。
【００４７】
一方、トレーニングマシン４５と通信可能であると判定した場合に進むＳ４１５では、近距離無線通信部１２を介してトレーニングマシン４５から消費カロリー情報を取得する。消費カロリー情報というのは、トレーニングマシン４５の利用によって消費されたカロリーを意味する。なお、当該カロリーの代わりに、当該カロリーを算出可能な物理量（例えば、歩行距離数等）をトレーニングマシン４５から取得し、携帯端末１１内でユーザの体重等を考慮して消費カロリーを算出するようになっていてもよい。
【００４８】
続いて、オーバートレーニングか否かを判定する（Ｓ４２０）。これは、記憶部１４に記憶されている摂取カロリー情報と、Ｓ４１５で取得した消費カロリー情報とを比較し、消費カロリーが摂取カロリーを上回っているか否かを判定することである。なお、単純な比較ではなく、ユーザの食事をしてからの経過時間や、ユーザの基礎代謝量を考慮して判定するようにしてもよい。
【００４９】
このＳ４２０において、オーバートレーニングであると判定した場合は（Ｓ４２０：Ｙｅｓ）、Ｓ４２５へ処理を移行し、オーバートレーニングではないと判定した場合は（Ｓ４２０：Ｎｏ）、Ｓ４３０へ処理を移行する。
【００５０】
オーバートレーニングであると判定した場合に進むＳ４２５では、オーバートレーニングであることを意味する表示を表示部１５に行わせ、本処理（報知処理）を終了する。
一方、オーバートレーニングでないと判定した場合に進むＳ４３０では、残り運動量を示す表示を表示部１５に行わせ、本処理（報知処理）を終了する。
【００５１】
［効果］
第一実施形態の携帯端末１１は、食事の摂取カロリー情報に加えて、体調情報についても取得して記憶する（Ｓ２１５）。そして、携帯端末１１は、摂取カロリー情報と体調情報とに基づいて運動内容の候補を選出し（Ｓ３０５）、選出した運動内容の候補を表示させるようになっている（Ｓ３１０）。したがって、ユーザは、自身の体調が考慮された運動内容であって、食事に伴い必要になった運動内容を、運動開始前に知ることができる。
【００５２】
また、携帯端末１１は、表示した運動内容の候補についての選択をユーザから受け付けて記憶し（Ｓ３１５，Ｓ３２０）、ユーザが選択した運動内容に基づいてトレーニングマシン、マッサージサービス、エステサービス等の予約を実行可能になっている（Ｓ３３０）。したがって、ユーザは、別途、個別に予約電話等することなく、運動内容に対応したトレーニングマシン等の予約を行うことができる。
【００５３】
また、携帯端末１１は、トレーニングマシン４５と通信を行ってトレーニングマシン４５を利用することによって消費したカロリー情報を取得し（Ｓ４１５）、消費カロリーが摂取カロリーを上回っているか否かを判定するようになっている（Ｓ４２０）。そして、消費カロリーが摂取カロリーを上回っている場合には（Ｓ４２０：Ｙｅｓ）、オーバートレーニングであることをユーザに報知するようになっている（Ｓ４２５）。したがって、ユーザは、この報知内容を確認することより、オーバートレーニングを防止することができる。
【００５４】
また、携帯端末１１は、車両に搭載されている乗員モニタＥＣＵ５１から車載装置２１を介して体調情報を取得して記憶するようになっているため（Ｓ２１５）、ユーザが体調情報を、操作部１３を介して入力する必要がなく、また、専用のセンサ類を設ける必要もない。したがって、使い勝手がよく、また、システムの構築コストも低い。
【００５５】
［特許請求の範囲との対応］
上記実施形態の説明で用いた用語と、特許請求の範囲に記載した用語との対応を示す。
携帯端末１１の近距離無線通信部１２が第一の取得手段に相当し、車載装置２１が第二の取得手段に相当し、携帯端末１１の制御部１７が必要運動内容選出手段に相当し、携帯端末１１の表示部１５が出力手段に相当するとともに表示手段にも相当する。また、携帯端末１１の操作部１３が選択手段に相当する。
【００５６】
［第二実施形態］
第二実施形態は、第一実施形態と異なり、一部の処理を携帯端末の代わりに車載装置が実行する実施形態である。
【００５７】
［構成の説明］
図６は、第一実施形態の管理システム７、及び、管理システム７に接続された装置等を示すブロック図である。管理システム７は、携帯端末６１と車載装置７１と備える。携帯端末６１は、店舗端末３１及びトレーニングマシン４５と通信可能に構成され、車載装置７１は、トレーニングマシン予約管理サーバ４１及び乗員モニタＥＣＵ５１と通信可能に構成されている。以下、詳しく説明するが、第一実施形態と同じ装置等については同一の符号を付すことにより、説明を省略する。
【００５８】
（１）携帯端末６１
携帯端末６１は、近距離無線通信部６２と、操作部６３と、記憶部６４と、表示部６５と、制御部６６とを備える。
【００５９】
近距離無線通信部６２は、店舗端末３１及びトレーニングマシン４５と近距離無線通信（例えば、無線ＬＡＮ通信やブルートゥース通信等）により通信を行う機能を有する。
操作部６３は、操作ボタンやタッチパネル等からなり、ユーザの操作を受け付ける機能を有する。
【００６０】
記憶部６４は、フラッシュメモリ等の不揮発性の記憶媒体を有し、様々なデータを記憶する機能を有する。
表示部６５は、液晶パネルや有機ＥＬパネル等の画像表示パネルを有し、様々な文字や図形等を表示する機能を有する。
【００６１】
制御部６６は、周知のＣＰＵ、ＲＯＭ、ＲＡＭ、Ｉ／Ｏ等から構成され、ＲＯＭや記憶部６４に記憶されたプログラムに基づいて上記各部を制御し、各種の処理を実行する機能を有する。
【００６２】
（２）車載装置７１
車載装置７１は、近距離無線通信部７２と、車内ＬＡＮ通信部７３と、公衆無線通信部７４と、操作部７５と、記憶部７６と、表示部７７と、制御部７８とを備える。
【００６３】
近距離無線通信部７２は、携帯端末６１と近距離無線通信（例えば、無線ＬＡＮ通信やブルートゥース通信等）により通信を行う機能を有する。
車内ＬＡＮ通信部７３は、図示しない車内ＬＡＮに接続され当該車内ＬＡＮを介して乗員モニタＥＣＵ５１と通信を行う機能を有する。
【００６４】
公衆無線通信部７４は、トレーニングマシン予約管理サーバと公衆無線通信（例えば、携帯電話パケット通信や無線ＬＡＮ通信等）により通信を行う機能を有する。
操作部７５は、操作ボタンやタッチパネル等からなり、ユーザの操作を受け付ける機能を有する。
【００６５】
記憶部７６は、フラッシュメモリ等の不揮発性の記憶媒体を有し、様々なデータを記憶する機能を有する。
表示部７７は、液晶パネルや有機ＥＬパネル等の画像表示パネルを有し、様々な文字や図形等を表示する機能を有する。
【００６６】
制御部７８は、周知のＣＰＵ、ＲＯＭ、ＲＡＭ、Ｉ／Ｏ等から構成され、ＲＯＭに記憶されたプログラムに基づいて上記各部を制御し、各種の処理を実行する機能を有する。
［動作の説明］
次に、管理システム７の動作について説明する。
【００６７】
（１）摂取カロリー情報取得処理２
次に、携帯端末６１の制御部６６が実行する摂取カロリー情報取得処理２について、図７のフローチャートを用いて説明する。なお、摂取カロリー情報取得処理２は、摂取カロリー情報取得処理２の開始を意味する指令を、携帯端末６１の操作部６３を介してユーザから受け付けた際に実行が開始される。
【００６８】
携帯端末６１の制御部６６は、摂取カロリー情報取得処理２の実行を開始すると、まず、近距離無線通信部６２を介して店舗端末３１と通信可能であるか否かを判定する（Ｓ５０５）。店舗端末３１と通信可能であると判定した場合は（Ｓ５０５：Ｙｅｓ）、Ｓ５１５へ処理を移行し、店舗端末３１と通信可能でないと判定した場合は（Ｓ５０５：Ｎｏ）、Ｓ５１０へ処理を移行する。
【００６９】
店舗端末３１と通信可能でないと判定した場合に進むＳ５１０では、通信可能でない旨の表示を表示部６５に行わせる。そして、制御部６６は、本処理（摂取カロリー情報取得処理２）を終了する。
【００７０】
一方、店舗端末３１と通信可能であると判定した場合に進むＳ５１５では、食事メニュー（料理名等）と各カロリー値を取得して記憶部６４に記憶させる。具体的には、食事メニューとして「ラーメン」、カロリー値として「７００ｋｃａｌ」というような情報を、食事の料理等毎に取得する。その後、正常に記憶した旨の表示を表示部６５に行わせ（Ｓ５２０）、本処理（摂取カロリー情報取得処理２）を終了する。
【００７１】
（２）運動内容決定処理２
次に、車載装置７１の制御部７８が実行する運動内容決定処理２について、図８のフローチャートを用いて説明する。なお、運動内容決定処理２は、運動内容決定処理２の開始を意味する指令を、車載装置７１の操作部７５を介してユーザから受け付けた際に実行が開始される。また、運動内容決定処理２は、ユーザが車両の座席に着座している状態で実行されることが想定されている。
【００７２】
車載装置７１の制御部７８は、運動内容決定処理２の実行を開始すると、まず、近距離無線通信部７２を介して携帯端末６１と通信可能であるか否かを判定する（Ｓ６０５）。携帯端末６１と通信可能であると判定した場合は（Ｓ６０５：Ｙｅｓ）、Ｓ６１５へ処理を移行し、携帯端末６１と通信可能でないと判定した場合は（Ｓ６０５：Ｎｏ）、Ｓ６１０へ処理を移行する。
【００７３】
携帯端末６１と通信可能でないと判定した場合に進むＳ６１０では、通信可能でない旨の表示を表示部７７に行わせ。そして、本処理（運動内容決定処理２）を終了する。
一方、携帯端末６１と通信可能であると判定した場合に進むＳ６１５では、携帯端末６１の記憶部６４に記憶されている食事メニューと各カロリー値とを携帯端末６１から取得する。
【００７４】
そして、ユーザより食事選択を受け付ける（Ｓ６２０）。具体的には、表示部７７に食事メニュー（料理名等）を一覧表示させ、それらのうちユーザが実際に食べた食事メニューを、操作部７５を介してユーザに選択させることである。
【００７５】
続いて、Ｓ６２０で選択された全ての食事のカロリー値を合計し、摂取カロリー情報として記憶部７６に記憶させる（Ｓ６２５）。
続いて、乗員モニタＥＣＵ５１から体調情報を取得し、記憶部７６に記憶させる（Ｓ６３０）。
【００７６】
続いて、記憶部７６に記憶されている摂取カロリー情報と体調情報とから運動内容の候補を選出し、表示部７７に表示させる（Ｓ６３５）。運動内容の候補は、運動に耐える体調かどうかという点や、どの程度の負荷強度のある運動種別が適しているかという点等を、体調情報に基づいて判断し、続いて、摂取カロリー情報に基づいて、運動種別と運動量とを組にした運動内容の候補を選出することである。
【００７７】
続いて、操作部７５を介して運動内容の選択をユーザから受け付け（Ｓ６４０）、受け付けた運動内容を、近距離無線通信部７２を介して携帯端末６１へ送信する（Ｓ６４５）。
【００７８】
続いて、Ｓ６４０で選択された運動内容に基づき、トレーニングマシン、マッサージサービス、エステサービス等の予約を行うか否かを判定する（Ｓ６５０）。判定手法は、例えば、予約を行うかどうかを問い合わせる表示を表示部７７に行わせ、予約を行う旨の操作がユーザによって操作部７５に対してなされたか否かを判定することによって行う方法が考えられる。この結果、トレーニングマシン等の予約を行わないと判定した場合は（Ｓ６５０：Ｎｏ）、本処理（運動内容決定処理２）を終了し、一方、トレーニングマシン等の予約を行うと判定した場合は（Ｓ６５０：Ｙｅｓ）、Ｓ６５５へ処理を移行する。
【００７９】
トレーニングマシン等の予約を行うと判定した場合に進むＳ６５５では、トレーニングマシン等の予約を実行する。具体的には、公衆無線通信部７４を介してトレーニングマシン予約管理サーバ４１へ予約情報を送信し、トレーニングマシン、マッサージサービス、エステサービス等の予約依頼を行う。なお、予約情報というのは、訪問日時、予約対象、利用者特定情報等から構成される。その後、本処理（運動内容決定処理２）を終了する。
【００８０】
（３）報知処理
携帯端末６１の制御部６６は、報知処理を実行可能であるが、この報知処理は、上述した第一実施形態の携帯端末１１の制御部１７が実行する報知処理と同じであるため、説明は省略する。
【００８１】
［効果］
第二実施形態の車載装置７１は、食事の摂取カロリー情報に加えて、体調情報についても取得して記憶する（Ｓ６１５，Ｓ６２５，Ｓ６３０）。そして、車載装置７１は、摂取カロリー情報と体調情報とに基づいて運動内容の候補を選出して表示するようになっている（Ｓ６３５）。したがって、ユーザは、自身の体調が考慮された運動内容であって、食事に伴い必要になった運動内容を、運動開始前に知ることができる。
【００８２】
また、車載装置７１は、表示した運動内容の候補についての選択をユーザから受け付け（Ｓ６４０）、ユーザが選択した運動内容に基づいてトレーニングマシン、マッサージサービス、エステサービス等の予約を実行可能になっている（Ｓ６５５）。したがって、ユーザは、別途、個別に予約電話等することなく、運動内容に対応したトレーニングマシン等の予約を行うことができる。
【００８３】
また、第二実施形態の管理システム７における携帯端末６１は、第一実施形態の携帯端末１１の公衆無線通信部１６に相当するものを備えていない。したがって、携帯端末６１は、軽量化することができ、持ち運ぶことが容易である。
【００８４】
［特許請求の範囲との対応］
上記実施形態の説明で用いた用語と、特許請求の範囲に記載した用語との対応を示す。
携帯端末６１の近距離無線通信部６２が第一の取得手段に相当し、車載装置７１が第二の取得手段に相当し、車載装置７１の制御部７８が必要運動内容選出手段に相当し、車載装置７１の表示部７７が出力手段に相当するとともに表示手段にも相当する。また、車載装置７１の操作部７５が選択手段に相当する。
【００８５】
［他の実施形態］
上記実施形態は携帯端末１１，６１がトレーニングマシン４５から消費カロリー情報を取得するようになっていたが、携帯端末１１，６１がトレーニングマシン４５に摂取カロリー情報を送信してもよい。そして、トレーニングマシン４５が、摂取カロリー情報と消費カロリー情報とからオーバートレーニングであるか否かを判定し、その判定結果を報知するようになっていてもよい。
【００８６】
このようになっていても、上述した実施形態と同様の効果を奏する。
【図面の簡単な説明】
【００８７】
【図１】第一実施形態の管理システムを説明するためのブロック図である。
【図２】摂取カロリー情報取得処理１を説明するためのフローチャートである。
【図３】体調情報取得処理を説明するためのフローチャートである。
【図４】運動内容決定処理１を説明するためのフローチャートである。
【図５】報知処理を説明するためのフローチャートである。
【図６】第二実施形態の管理システムを説明するためのブロック図である。
【図７】摂取カロリー情報取得処理２を説明するためのフローチャートである。
【図８】運動内容決定処理２を説明するためのフローチャートである。
【符号の説明】
【００８８】
５，７…管理システム、１１…携帯端末、１２…近距離無線通信部、１３…操作部、１４…記憶部、１５…表示部、１６…公衆無線通信部、１７…制御部、２１…車載装置、２２…近距離無線通信部、２３…車内ＬＡＮ通信部、２４…制御部、３１…店舗端末、４１…トレーニングマシン予約管理サーバ、４５…トレーニングマシン、５１…乗員モニタＥＣＵ、６１…携帯端末、６２…近距離無線通信部、６３…操作部、６４…記憶部、６５…表示部、６６…制御部、７１…車載装置、７２…近距離無線通信部、７３…車内ＬＡＮ通信部、７４…公衆無線通信部、７５…操作部、７６…記憶部、７７…表示部、７８…制御部。
【図１】
2008293338.tif 000003
【図２】
2008293338.tif 000004
【図３】
2008293338.tif 000005
【図４】
2008293338.tif 000006
【図５】
2008293338.tif 000007
【図６】
2008293338.tif 000008
【図７】
2008293338.tif 000009
【図８】
2008293338.tif 000010